(57)【要約】【課題】洗浄剤の補充が容易であって、汚れのひどい箇所であっても容易に清掃が可能な洗浄ブラシを提供することを課題とする。【解決手段】内部に充填された洗浄剤を缶外に噴射することのできるエアゾール缶１を用いるものであり、使用者が持って洗浄操作できる軸部２と、軸部２の先端側に設けられた洗浄部３とを備え、軸部２には、洗浄剤をエアゾール缶１から噴射させるために、エアゾール缶１を移動できる噴射機構４１を備え、洗浄部３は、ブラシ３１を備えたものであり、支持部４と洗浄部３との間には、エアゾール缶１から噴射された洗浄剤を、洗浄部３まで導くことのできる導通路５を備えた洗浄ブラシを提供する。【選択図】          図２
2006043234.tif 000002
【特許請求の範囲】
【請求項１】
内部に流動性を有する洗浄剤（Ｌ）が充填されたものであって、当該洗浄剤（Ｌ）を缶外に噴射することのできる噴射口（１２ａ）を備えたエアゾール缶（１）を用いるものであり、
使用者（Ｐ）が持って洗浄操作できる軸部（２）と、軸部（２）の先端側に設けられた洗浄部（３）とを備え、
軸部（２）は、上記のエアゾール缶（１）を支持するための支持部（４）を備え、
この支持部（４）は、軸部の軸方向に沿って設けられたものであり、
上記の支持部（４）には、洗浄剤（Ｌ）を噴射口（１２ａ）から噴射させるために、エアゾール缶（１）を移動できる噴射機構（４１）を備え、
洗浄部（３）は、洗浄対象物（Ｃ）に対して当接させるためのブラシ（３１）を備えたものであり、
支持部（４）と洗浄部（３）との間には、上記エアゾール缶（１）の噴射口（１２ａ）から噴射された洗浄剤（Ｌ）を、洗浄部（３）まで導くことのできる導通路（５）を備えたことを特徴とする洗浄ブラシ。
【請求項２】
上記のエアゾール缶（１）は、洗浄剤（Ｌ）が充填された缶本体（１１）と、
缶本体（１１）から突出したものであって、缶本体（１１）に対して移動させることにより、洗浄剤（Ｌ）を噴射可能とされた、筒状のステム部（１２）を備えたものであって、上記の噴射口（１２ａ）は当該ステム部（１２）の先端に設けられたものであり、
上記の支持部（４）が軸部（２）の軸方向に沿って設けられたものであり、
洗浄部（３）が軸部（２）の先端側に設けられたものであり、
上記の支持部（４）は、エアゾール缶（１）を軸方向に沿って移動可能に収納することのできる収納室（４２）を備え、
また、支持部（４）には、上記ステム部（１２）の先端方向への移動を阻止する固定部（４３）を備えたものであって、
この固定部（４３）には導通路（５）が接続されており、
上記の噴射機構（４１）は、缶本体（１１）を軸方向に沿って移動させるための押圧部材（４１ａ）と、
押圧部材（４１ａ）を操作するためのものであって、使用者（Ｐ）が操作可能な操作手段（４１ｂ）とを備えたものであることを特徴とする、請求項１に記載の洗浄ブラシ。
【請求項３】
上記の洗浄部（３）におけるブラシ（３１）が可動とされており、当該ブラシ（３１）を駆動するための洗浄部駆動機構（４４）を備えたことを特徴とする、請求項１または２に記載の洗浄ブラシ。
【請求項４】
上記の洗浄部（３）がヘッダー部（３２）を備えたものであり、
このヘッダー部（３２）は、上記の導通路（５）よりも、洗浄剤（Ｌ）の流路となる断面積が大きいものであって、
ブラシ（３１）に対して洗浄剤（Ｌ）を流出させるための流出口（３２ａ）が設けられたことを特徴とする、請求項３に記載の洗浄ブラシ。
【請求項５】
上記の洗浄部（３）が、中空筒状に形成された駆動軸（３３）を備え、上記のブラシ（３１）は当該駆動軸（３３）に取り付けられており、
上記の駆動軸（３３）がヘッダー部（３２）を兼ねるものであって、駆動軸（３３）からブラシ（３１）へと洗浄剤（Ｌ）を供給可能であることを特徴とする、請求項４に記載の洗浄ブラシ。
【請求項６】
軸部（２）は、その先端部分には支持部（４）が、
基端部分には、使用者（Ｐ）が把持可能なハンドル部（６）がそれぞれ設けられており、
上記ハンドル部（６）には、上記のブラシ（３１）を駆動させるための洗浄部駆動機構（４４）を操作するための操作手段（４４ｄ）と、
エアゾール缶（１）を動かすための操作手段（４１ｂ）とが設けられたことを特徴とする、請求項３〜５のいずれかに記載の洗浄ブラシ。
【発明の詳細な説明】
【技術分野】
【０００１】
本願発明は、トイレの清掃などに用いる洗浄ブラシに関するものである。
【背景技術】
【０００２】
【特許文献１】特表２００３−５３５６３７号公報
【０００３】
従来から、トイレの清掃などに用いる洗浄ブラシは良く知られている。この洗浄ブラシのうちで、特許文献１に示されたもののように、洗浄剤を収納することのできるタンクと、洗浄に当たって、洗浄対象物に対して当接させるためのブラシとが一体にされたものがある。この洗浄ブラシは、内部に収納された洗浄剤を一定量タンクからブラシへと導くことができるポンプ機構を内蔵するものであり、別途洗浄剤を振り掛けながらブラシを操作する必要がなく、便利である。
【発明の開示】
【発明が解決しようとする課題】
【０００４】
しかし、この特許文献１に示された洗浄ブラシは、タンクに液状の洗浄剤を収納して使用するものであるため、洗浄剤を使い切った場合の補充作業に当り、漏れなどを気にしながら行う必要があって面倒であった。
また、この洗浄ブラシは、ブラシが固定されたものであるため、汚れのひどい箇所を清掃する場合、多大な労力が必要であった。
また、この洗浄ブラシは、ブラシに力を入れた場合、上記のポンプ機構が作動し、不意に洗浄剤Ｌが出てしまう場合があって、洗浄剤Ｌの使いすぎとなって不経済であった。
【０００５】
本願発明はこのことに鑑み、洗浄剤の補充が容易であって、汚れのひどい箇所であっても容易に清掃が可能な洗浄ブラシを提供することを課題とする。また、経済的に洗浄剤を使用できる洗浄ブラシを提供することを課題とする。
【課題を解決するための手段】
【０００６】
上記課題を解決するために、本願の請求項１に記載の発明は、内部に流動性を有する洗浄剤Ｌが充填されたものであって、当該洗浄剤Ｌを缶外に噴射することのできる噴射口１２ａを備えたエアゾール缶１を用いるものであり、使用者Ｐが持って洗浄操作できる軸部２と、軸部２の先端側に設けられた洗浄部３とを備え、軸部２は、上記のエアゾール缶１を支持するための支持部４を備え、この支持部４は、軸部の軸方向に沿って設けられたものであり、上記の支持部４には、洗浄剤Ｌを噴射口１２ａから噴射させるために、エアゾール缶１を移動できる噴射機構４１を備え、洗浄部３は、洗浄対象物Ｃに対して当接させるためのブラシ３１を備えたものであり、支持部４と洗浄部３との間には、上記エアゾール缶１の噴射口１２ａから噴射された洗浄剤Ｌを、洗浄部３まで導くことのできる導通路５を備えたことを特徴とする洗浄ブラシを提供する。
【０００７】
また、本願の請求項２に記載の発明は、上記のエアゾール缶１は、洗浄剤Ｌが充填された缶本体１１と、缶本体１１から突出したものであって、缶本体１１に対して移動させることにより、洗浄剤Ｌを噴射可能とされた、筒状のステム部１２を備えたものであって、上記の噴射口１２ａは当該ステム部１２の先端に設けられたものであり、上記の支持部４が軸部２の軸方向に沿って設けられたものであり、洗浄部３が軸部２の先端側に設けられたものであり、上記の支持部４は、エアゾール缶１を軸方向に沿って移動可能に収納することのできる収納室４２を備え、また、支持部４には、上記ステム部１２の先端方向への移動を阻止する固定部４３を備えたものであって、この固定部４３には導通路５が接続されており、上記の噴射機構４１は、缶本体１１を軸方向に沿って移動させるための押圧部材４１ａと、押圧部材４１ａを操作するためのものであって、使用者Ｐが操作可能な操作手段４１ｂとを備えたものであることを特徴とする、請求項１に記載の洗浄ブラシを提供する。
【０００８】
また、本願の請求項３に記載の発明は、上記の洗浄部３におけるブラシ３１が可動とされており、当該ブラシ３１を駆動するための洗浄部駆動機構４４を備えたことを特徴とする、請求項１または２に記載の洗浄ブラシを提供する。
【０００９】
また、本願の請求項４に記載の発明は、上記の洗浄部３がヘッダー部３２を備えたものであり、このヘッダー部３２は、上記の導通路５よりも、洗浄剤Ｌの流路となる断面積が大きいものであって、ブラシ３１に対して洗浄剤Ｌを流出させるための流出口３２ａが設けられたことを特徴とする、請求項３に記載の洗浄ブラシを提供する。
【００１０】
また、本願の請求項５に記載の発明は、上記の洗浄部３が、中空筒状に形成された駆動軸３３を備え、上記のブラシ３１は当該駆動軸３３に取り付けられており、上記の駆動軸３３がヘッダー部３２を兼ねるものであって、駆動軸３３からブラシ３１へと洗浄剤Ｌを供給可能であることを特徴とする、請求項４に記載の洗浄ブラシを提供する。
【００１１】
また、本願の請求項６に記載の発明は、軸部２は、その先端部分には支持部４が、基端部分には、使用者Ｐが把持可能なハンドル部６がそれぞれ設けられており、上記ハンドル部６には、上記のブラシ３１を駆動させるための洗浄部駆動機構４４を操作するための操作手段４４ｄと、エアゾール缶１を動かすための操作手段４１ｂとが設けられたことを特徴とする、請求項３〜５のいずれかに記載の洗浄ブラシを提供する。
【発明の効果】
【００１２】
本願の請求項１及び２に記載の発明にあっては、エアゾール缶１を用いるものであって、エアゾール缶１から導入路５を通って導かれた洗浄剤をブラシ３１を備えた洗浄部３に供給できるため、洗浄剤Ｌを使い切っても、エアゾール缶１を交換するだけで済むため、洗浄剤の補充が容易であって、大変使い勝手の良い洗浄ブラシを供給できたものである。
【００１３】
本願の請求項３〜５に記載の発明にあっては、上記の効果に加え、ブラシ３１が可動であって、洗浄部駆動機構４４により駆動されるものであるため、洗浄剤Ｌが付着した状態で駆動されるブラシ３１を、洗浄対象物Ｃに押し付けることにより、洗浄ブラシの使用者Ｐが力を出してゴシゴシ擦る必要もなく、汚れのひどい箇所であっても洗浄対象物Ｃを容易に清掃できる洗浄ブラシを供給できたものである。
【００１４】
本願の請求項６に記載の発明にあっては、上記の効果に加え、ハンドル部６に、ブラシ３１を駆動させるための操作手段４４ｄと、エアゾール缶１を動かすための操作手段４１ｂとが設けられたことにより、これら操作手段４４ｄ，４１ｂの操作のため、使用者Ｐがいちいちハンドル部６を握り替えることなく、軽快に操作可能な洗浄ブラシを供給できたものである
【発明を実施するための最良の形態】
【００１５】
以下、図面に基づき本願発明の実施の形態の一例をとりあげて説明する。図１〜４が、第１実施例に係る洗浄ブラシの説明図であって、図５〜７が、第２実施例に係る洗浄ブラシの説明図である。
【００１６】
本例のうち第１実施例に係る洗浄ブラシは、図１及び図２に示すようなものであって、内部にエアゾール缶１を配位して使用するものである。
本例において用いられるエアゾール缶１は、内部に液状などの流動性を有する洗浄剤Ｌが充填されたものであって、当該洗浄剤Ｌを缶外に噴射することのできる噴射口１２ａを備えた周知のものである。
このエアゾール缶１は、洗浄剤Ｌが内部に充填された略円筒形の缶本体１１と、缶本体１１から突出した中空筒状のものであって、缶本体１１に押し込むことにより、内部のバルブ機構が作動し、洗浄剤Ｌを噴射可能とされたステム部１２を備えたものである。そしてステム部１２の先端には噴射口１２ａが設けられている。
【００１７】
ここで、上記ステム部１２の構造は、缶本体１１に対して移動されることにより、洗浄剤Ｌを噴射可能とされたものであれば良く、例えば、ステム部１２を首を振るように移動させることにより噴射がなされるものなど、種々の構造にて実施し得る。
また、一般の殺虫剤や芳香剤などの用途に供されるエアゾール缶のように、ステム部１２の噴射口１２ａを覆うチップ状の噴射ボタンが取り付けられた状態のエアゾール缶１を使用しても良い。
【００１８】
本例の洗浄ブラシは、使用者Ｐが持って洗浄操作できる軸部２と、軸部２の先端部に設けられた洗浄部３とを備えたものである。
軸部２は、その先端部分には上記のエアゾール缶１を支持するための支持部４が、基端部分には、使用者Ｐが把持可能なハンドル部６がそれぞれ設けられている。
【００１９】
軸部２は、上記のエアゾール缶１を支持するための支持部４を備える。この支持部４は、軸部２の軸方向に沿って設けられたものである。この支持部４は、中空筒状のケーシングによって囲まれた、エアゾール缶１の略円筒形である缶本体１１を、軸方向に沿って移動可能に収納することのできる空間である収納室４２を備える。また、この支持部４には、収納室４２に配位されたエアゾール缶１を軸方向に移動させることにより、洗浄剤Ｌをエアゾール缶１の噴射口１２ａから噴射させるための噴射機構４１を備える。そして、支持部４の収納室４２内には、エアゾール缶１のステム部１２の先端方向への移動を阻止する固定部４３を備えている。
本例においては、エアゾール缶１を先端方向（図１における下方）に移動させることによって洗浄剤を噴射させるように噴射機構４１及び固定部４３が配位されているが、これとは逆に、エアゾール缶１を基端方向（図１における上方）に移動させるものとしても良い。
【００２０】
上記の収容室４２は、カバー部４５によって基端側（図１における上側）が開閉可能とされている。本例においては、このカバー部４５はハンドル部６と一体とされており、先端側のヒンジ４５ａによって、支持部４の先端側の部分に支持されている。これにより、図２に示したように、支持部４の基端側（図示上側）を、エアゾール缶１が出し入れ可能なように開口でき、エアゾール缶１を容易に着脱できる。
一方、図５及び図６に示す、第２実施例におけるカバー部４５は、支持部４の他の部分に対して取り外しが可能なものとされている。これは、例えばカバー部４５に設けられた嵌合凸部４５ｂと、支持部４の先端側の部分に設けられた嵌合穴４５ｃとが嵌合することにより取り付けがなされるものである。なお、この第２実施例においては、ハンドル部６に設けられた洗浄部駆動機構４４のスイッチ４４ｄとモーター４４ａとの間の電気配線を、上記の取り付けの際において接続するための電気接点を設けておく必要がある。
【００２１】
収納室４２内に設けられる固定部４３には、図３に示すように、エアゾール缶１のステム部１２を軸方向に移動可能な状態で受容できる受容空間４３ａが形成されている。そして、この受容空間４３ａの軸方向の先端側は開口されており、後述する導通路５が接続されている。つまり、受容空間４３ａと導通路５の内部空間は連続している。これにより、エアゾール容器１の噴射口１２ａから噴射される洗浄剤Ｌを導通路５へと導くことができる。そして、先端側には段差４３ｂが設けられており、ステム部１２のそれ以上の先端方向への移動が阻止される。
【００２２】
上記の構成により、後述する押圧部材４１ａによってエアゾール缶１が先端側に押されると、ステム部１２が段差４３ｂに当接する。そして、更にエアゾール缶１が押されると、ステム部１２は缶本体１１へと押し込まれる。これにより、ステム部１２の根元に設けられたバルブ機構が作動し、洗浄剤Ｌが噴射され、導通路５へと導かれる。
なお、押圧部材４１ａによるエアゾール缶１の押圧が解かれると、ステム部１２の根元に設けられた復帰用の付勢手段（図示しない）により、ステム部１２は缶本体１１から突出した状態に復帰し、洗浄剤Ｌの噴射が止まる。
【００２３】
一方、上記の噴射機構４１は、缶本体１１を軸方向に沿って移動させるための押圧部材４１ａと、押圧部材４１ａを操作するためのものであって、使用者Ｐが操作可能な操作手段４１ｂとを備えたものである。
押圧部材４１ａは、本例では図１に示したように、缶本体１１の底部を軸方向に押圧することのできる梃子状の部材である。操作手段４１ｂは、軸部２の基端部分に形成されたハンドル部６に設けられており、軸方向にスライドさせることにより、押圧部材４１ａを移動させることができるレバーとされている。本例では、押圧部材４１ａと操作手段４１ｂとは直接連結されたものであって、操作手段４１ｂが押圧部材４１ａを直接移動させるものとしているが、これに限られるものではなく、ギアやリンクなどを介して動作を伝達させたものであっても良い。また、ばねの付勢により、操作手段４１ｂを軽快に移動させることが可能なものとしても良い。また、押圧部材４１ａを、モーターなどによって駆動させるものとし、操作手段４１ｂは、そのモーターなどを駆動させるためのスイッチ等としても良く、その他、種々に変更して実施し得る。
【００２４】
洗浄部３は、洗浄対象物Ｃに対して当接させるためのブラシ３１を備えたものである。ブラシ３１は、本例では合成樹脂製の小径の線状体を集合させたものとしているが、洗浄対象物Ｃの材質によっては、針金などの金属製のものを用いたり、スポンジや布状のものを用いても良い。また、内部を洗浄剤Ｌが通過できる中空のチューブ状のものとしても良い。
【００２５】
本例の洗浄部３は、ブラシ３１が可動とされている。具体的には、第１実施例において、軸部２に対して回転可能に支持された可動部３３の先端側にブラシ３１が取り付けられたことにより、ブラシ３１が回転可能とされたものである。
そして、軸部２には、このブラシ３１を駆動させるための洗浄部駆動機構４４が備えられている。本例における洗浄部駆動機構４４は、モーター４４ａと、モーター４４ａの回転力をブラシ３１に伝達するための回転軸やギアなどの伝導手段４４ｂ、そして電池４４ｃと、操作手段であるスイッチ４４ｄとからなり、モーター４４ａ、電池４４ｃ、スイッチ４４ｄはそれぞれ電気回路により接続されている。
スイッチ４４ｄは、上記の操作手段４１ｂと共にハンドル部６に設けられている。これにより、スイッチ４４ｄを操作することにより、電流をモーター４４ａに供給することができ、ブラシ３１を駆動できる。
本例においては、ブラシ３１の運動は回転運動としているが、これに限られるものではなく、往復運動をさせたり、振動させるものなど、種々に変更して実施し得る。また、本例ではブラシ３１を可動のものとしたが、本願発明はこれに限られるものではなく、コストの関係などにより、洗浄部駆動機構４４を省略し、ブラシ３１を軸部２に対して固定させたものとしても良い。
【００２６】
導通路５は、支持部４の固定部４３と洗浄部３とを連結するものであって、内部に洗浄剤Ｌを通すことのできる中空のものである。本例ではチューブ状のものとされている。この導通路５により、エアゾール缶１の噴射口１２ａから噴射された洗浄剤Ｌを、洗浄部３まで導くことができる。
【００２７】
ここで、上記の可動部３３はヘッダー部３２を兼ねるものとされている。このヘッダー部３２は、上記の導通路５よりも断面積が大きい空間を有するものであり、この空間と連通するようにして、導通路５の先端部が接続されている。そして、ヘッダー部３２の先端側には、ブラシ３１に対して洗浄剤Ｌを流出させるための流出口３２ａが複数設けられている。これにより、このヘッダー部３２の内部の空間において、導通路５から流入する洗浄剤Ｌをブラシ３１へと分配することができる。
この流出口３２ａはブラシ３１の根元に位置するため、流出口３２ａから流出した洗浄剤Ｌを、ブラシ３１の表面を伝わせてブラシ３１全体に供給できる。よって、効率の良い洗浄作業が可能である。
【００２８】
ここで、図５及び図６に示す第２実施例においては、洗浄部３が中空筒状に形成された可動部としての駆動軸３３を備え、上記のブラシ３１はこの駆動軸３３に取り付けられたものである。そして、この駆動軸３３が、ヘッダー部３２を兼ねている。具体的には、駆動軸３３の側面に流出口３２ａが複数設けられており、駆動軸３３からブラシ３１へと洗浄剤Ｌを供給可能となっている。
この場合、駆動軸３３の側面にブラシ３１が取り付けられていることにより、駆動軸３３を回転させると、遠心力により、洗浄剤Ｌがブラシ３１の先端まで効率良く行き渡り、図７に示すような状態とできる。
【００２９】
本例の洗浄ブラシは、図１や図５に示すように、洗浄部３を収納することのできるホルダーＨに配位させた状態で、各家庭のトイレなどに配置することが可能であり、使用に当っても、洗浄ブラシをホルダーＨから取り出し、図４に示したように、便器などの洗浄対象物Ｃに対して、手軽に清掃作業を行うことができる。
【００３０】
本例の洗浄ブラシの使用に当たっては、図４に示したように、使用者Ｐがハンドル部６を把持し、その状態でハンドル部６に設けられたスイッチ４４ｄを操作することにより、モーター４４ａを作動させてブラシ３１を回転させることができる。これに加え、使用者Ｐがハンドル部６上の操作手段４１ｂを操作することにより、エアゾール缶１から洗浄剤Ｌをブラシ３１に供給することができる。よって、これら操作手段４４ｄ，４１ｂの操作のため、使用者Ｐがいちいちハンドル部６を握り替えることなく、軽快に操作可能である。また、操作手段４１ｂを適宜操作することにより、使用者Ｐが望む量の洗浄剤Ｌをブラシ３１に導くことができるため、特許文献１に記載された従来のものと異なり、不意に洗浄剤Ｌが出ることによる、洗浄剤Ｌの使いすぎを防止でき、経済的である。
【００３１】
このように、洗浄剤Ｌが付着した状態で回転するブラシ３１を洗浄対象物Ｃに押し付けることにより、使用者Ｐが力を出してゴシゴシ擦る必要もなく、洗浄対象物Ｃを容易に清掃できる。しかも、従来のように、洗浄対象物Ｃに別途洗浄剤Ｌを振り掛ける必要がないため、洗浄剤Ｌを別に保管する必要もなく便利である。
また、本願発明に係る洗浄ブラシは、特許文献１に記載された従来のものと異なり、液体の洗浄剤Ｌを洗浄ブラシに収納するものではなく、洗浄剤Ｌがエアゾール缶に充填されたものであるため、洗浄剤Ｌを使い切っても、エアゾール缶を交換するだけで済む。よって、大変使い勝手の良いものである。
【図面の簡単な説明】
【００３２】
【図１】本願の第１実施例に係る洗浄ブラシの外観を示す斜視図である。
【図２】本願の第１実施例に係る洗浄ブラシの構造を示す透視図である。
【図３】本願の第１実施例に係る洗浄ブラシの構造を示す要部拡大断面図である。
【図４】本願の第１実施例に係る洗浄ブラシの使用方法を示す斜視図である。
【図５】本願の第２実施例に係る洗浄ブラシの外観を示す斜視図である。
【図６】本願の第２実施例に係る洗浄ブラシの構造を示す透視図である。
【図７】本願の第２実施例に係る洗浄ブラシの洗浄部を示す要部拡大斜視図である。
【符号の説明】
【００３３】
１        エアゾール缶
１１      缶本体
１２      ステム部
１２ａ    噴射口
２        軸部
３        洗浄部
３１      ブラシ
３２      ヘッダー部
３２ａ    流出口
３３      可動部、駆動軸
４        支持部
４１      噴射機構
４１ａ    押圧部材
４１ｂ    噴射機構の操作手段
４２      収納室
４３      固定部
４４      洗浄部駆動機構
４４ｄ    洗浄部駆動機構の操作手段、スイッチ
５        導通路
６        ハンドル部
Ｃ        洗浄対象物
Ｌ        洗浄剤
Ｐ        使用者
【図１】
2006043234.tif 000003
【図２】
2006043234.tif 000004
【図３】
2006043234.tif 000005
【図４】
2006043234.tif 000006
【図５】
2006043234.tif 000007
【図６】
2006043234.tif 000008
【図７】
2006043234.tif 000009